(57)【要約】【課題】赤外線ワイヤレスヘッドフォン装置を車両内で使用する場合に、窓から差し込む太陽光線が受光部に入射してノイズを発生する。【解決手段】左右のスピーカハウジングに設けた受光部８、９のいずれかに太陽光線が入射した場合には、太陽光線を受光した側の受光部からの信号を信号遮断部１０または１１が遮断し、反対側の受光部で受光した送信ユニット２からの赤外線信号を信号復調部１２で復調して左右のスピーカ１６、１７から出力するので、太陽光線によるノイズの発生を防ぐことができる。【選択図】  図１
2004236129.tif 000002
【特許請求の範囲】
【請求項１】
赤外線信号を受光する複数の受光部と、前記各受光部が受光した赤外線信号を復調して音声信号を取り出す復調部と、前記復調した音声信号を増幅する増幅部と、前記増幅した音声信号を音声として出力するスピーカと、前記各受光部における光電変換した電気信号が所定のレベルを越えた場合に前記受光した赤外線信号の送出を遮断する信号遮断部とを備えた赤外線ワイヤレスヘッドフォン装置。
【請求項２】
前記受光部が、スピーカハウジングに少なくとも２つ設けられていることを特徴とする請求項１記載の赤外線ワイヤレスヘッドフォン装置。
【発明の詳細な説明】
【０００１】
【発明の属する技術分野】
本発明は、赤外線ワイヤレスヘッドフォン装置、特に車載オーディオ装置に使用する赤外線ワイヤレスヘッドフォン装置に関する。
【０００２】
【従来の技術】
車載オーディオ装置に使用する赤外線ワイヤレスヘッドフォン装置は、前部座席において隣の乗員の邪魔にならないように、また、後部座席の乗員が前部座席の乗員の邪魔にならないように、ラジオ放送やＣＤ等を聞く場合に使用する（例えば、特許文献１参照）。本体装置の発光部からは周波数変調された赤外線信号が送信され、赤外線ワイヤレスヘッドフォン装置は、左右のスピーカハウジングに設けられた受光部が本体装置からの赤外線信号を受信し、これを復調増幅して音声をスピーカから出力する。赤外線ワイヤレスヘッドフォン装置は、携帯式のラジオやテレビ、ＭＤプレーヤ、ＣＤプレーヤ等においても使用される。
【０００３】
【特許文献１】
特願平０５−１８７５０１号公報
【０００４】
【発明が解決しようとする課題】
しかしながら、従来の赤外線ワイヤレスヘッドフォン装置は、車両内で使用する場合に、窓から差し込む太陽光線が受光部に入射してノイズを発生することがある。太陽光線には、赤外線ワイヤレスヘッドフォン装置が使用するのと同じ帯域の赤外線が多く含まれているからである。受光部は、左右にそれぞれ設けられているので、左側の座席に座った場合は左側の窓から太陽光線が入射し、右側に座った場合は右側の窓から太陽光線が入射する。携帯式のラジオやテレビ、ＭＤプレーヤ、ＣＤプレーヤ等を赤外線ワイヤレスヘッドフォン装置を使用して屋外で使用する場合にも、同様に太陽光線によるノイズが発生する。
【０００５】
本発明は、このような従来の問題を解決するものであり、太陽光線によるノイズ発生を防止することのできる赤外線ワイヤレスヘッドフォン装置を提供することを目的とする。
【０００６】
【課題を解決するための手段】
上記目的を達成するために、本発明の赤外線ワイヤレスヘッドフォン装置は、赤外線信号を受光する複数の受光部と、前記各受光部が受光した赤外線信号を復調して音声信号を取り出す復調部と、前記復調した音声信号を増幅する増幅部と、前記増幅した音声信号を音声として出力するスピーカと、前記各受光部における光電変換した電気信号が所定のレベルを越えた場合に前記受光した赤外線信号の送出を遮断する信号遮断部とを備えたものであり、太陽光線が受光部に入射した場合は、赤外線信号が入射した場合よりも光電変換電圧がかなり高くなるので、これをリミッタ回路により遮断することにより、ノイズのない快適な音声をスピーカから出力することができる。
【０００７】
また、本発明の赤外線ワイヤレスヘッドフォン装置は、前記受光部が、スピーカハウジングに少なくとも２つ設けられていることを特徴とするものであり、片方のスピーカハウジングに設けた受光部に太陽光線が入射しても、もう一方のスピーカハウジングに設けた受光部には本体装置からの赤外線信号が入射するので、音声を出力することができる。
【０００８】
【発明の実施の形態】
以下、本発明の実施の形態について図面を参照して説明する。図１は本発明の実施の形態における車載用オーディオ装置の概略ブロック図である。図１において、オーディオ装置本体１は、ＡＭやＦＭのラジオ受信機およびＣＤプレーヤを備えており、車両のインストルメントパネルに組み込まれている。送信ユニット２は、車両の左右の前部座席の中間に設けられて、オーディオ装置本体１の出力端子に接続されており、ステレオ信号変調部３と発光制御部４と発光部５とを備え、さらにオーディオ装置本体１の入力端子に接続された操作部６を備えている。操作部６は、オーディオ装置本体１の放送局の選局やＣＤのトラック番号を調整することができる。一方、ワイヤレスヘッドフォン７は、左右２つのスピーカ１５、１６とリモコン信号も受信できる受信強度に応じて電気信号を出力する受光部８、９と、各受光部８、９に接続された遮断回路からなる信号遮断部１０、１１と、各信号遮断部１０、１１に接続された信号復調部１２と、信号復調部１２に接続された増幅部１３、１４と、各増幅部１３、１４に接続された左右のスピーカ１５、１６とを備えている。左右のスピーカ１５、１６に設けられる受光部８、９は、図２に示すように、ワイヤレスヘッドフォン７のスピーカハウジング１７、１８の前面側に設けられている。なお、受光部８、９は２つに限定されず、それぞれのスピーカハウジング１７、１８の前側に２つずつ設けてもよい。また、変復調される信号は、ステレオ信号だけでなく、モノラル信号やサラウンド効果を発生させる信号であってもよい。さらに、受光部８、９は、スピーカハウジング１７、１８に設けることに限らず、スピーカハウジングを繋ぐ接続部側に設けてもよい。
【０００９】
次に、本実施の形態の動作について説明する。ユーザが送信ユニット２の操作部６から例えばＦＭ放送の選局を行うと、その操作信号によりオーディオ装置本体１が選局を行い、出力端子からステレオ信号を送出する。このステレオ信号を受信した送信ユニット２は、その信号をステレオ信号変調部３で増幅した後、高周波信号で周波数変調を行い、この変調信号に基づいて発光制御部４で発光部４の赤外線発光ダイオードの発光強度を制御する。ワイヤレスヘッドフォン７では、この発光強度を制御された赤外線信号を、受光部８、９で受光し、それぞれの受光素子が受信した赤外線信号を電気信号に変換する。これにより、受信した赤外線信号から送信されてきた元の変調信号が得られ、この電気信号を増幅した後、信号遮断部１０、１１に出力する。信号遮断部１０、１１は、予め設定したレベル以上の信号入力があった場合にはそれを遮断するリミッタ回路で構成されているので、もし太陽光線が受光部８または受光部９に入射した場合には、その入射した側の受光部からの信号を遮断する。これにより、反対側の受光部からの信号のみが信号復調部１２に入力される。信号復調部１２では、バンドパスフィルタにより左右のステレオ信号が抽出され、それぞれ復調されて音声信号が取り出され、増幅部１３、１４により増幅されて、左右のスピーカ１５、１６が音声として出力される。
【００１０】
このように、本実施の形態によれば、左右のスピーカハウジング１７、１８に設けた受光部８、９のいずれかに太陽光線が入射した場合には、太陽光線が入射した側の受光部からの信号を信号遮断部１０または１１が遮断し、反対側の受光部で受光した送信ユニット２からの赤外線信号を信号復調部１２で復調して左右のスピーカ１６、１７から出力するので、太陽光線が入射する車内で使用しても、ノイズの発生を防いで、快適な音声を出力することができる。
【００１１】
なお、上記実施の形態では、オーディオ装置本体１とワイヤレスヘッドフォン７との間に送信ユニット２を配置して、車両の後部座席でワイヤレスヘッドフォン７を使用する構成としたが、送信ユニット２を省略して、送信機能をオーディオ装置本体に持たせ、ワイヤレスヘッドフォンを車両の前部座席または後部座席で使用する場合にも本発明を適用することができる。また、送信ユニット２にオーディオ装置本体１の機能を持たせてもよく、さらにオーディオ装置にテレビ受信機を組み込んでもよい。また、送信ユニット２は、車両の左右の前部席の中間に取り付けるとしたが、取り付け位置は車両内であればどこでもよく、例えば、送信ユニット２に送信機能のみを持たせてオーディオ装置本体１に接続されている場合に、本発明を適用することができる。
【００１２】
【発明の効果】
以上説明したように、本発明の赤外線ワイヤレスヘッドフォン装置は、赤外線信号を受光する複数の受光部と、各受光部が受光した赤外線信号を復調して音声信号を取り出す復調部と、復調した音声信号を増幅する増幅部と、増幅した音声信号を音声として出力するスピーカと、各受光部における光電変換した電気信号が所定のレベルを越えた場合に受光した赤外線信号の送出を遮断する信号遮断部とを備えているので、太陽光線が受光部に入射した場合は、信号遮断部でその信号の送出を遮断するので、ノイズのない快適な音声をスピーカから出力することができる。
【図面の簡単な説明】
【図１】本発明の実施の形態における車載用オーディオ装置の概略ブロック図
【図２】本発明の実施の形態におけるワイヤレスヘッドフォンを示す斜視図
【符号の説明】
１  オーディオ装置本体
２  送信ユニット
３  ステレオ信号変調部
４  発光制御部
５  発光部
６  操作部
７  ワイヤレスヘッドフォン
８、９受光部
１０、１１  信号遮断部
１２  信号復調部
１３、１４  増幅部
１５、１６  スピーカ
１７、１８  スピーカハウジング
【図１】
2004236129.tif 000003
【図２】
2004236129.tif 000004